(57)【要約】【課題】テーブルの使用時に脚部の折り畳みを確実に阻止でき、且つ、簡単に脚部のロック及びロック解除を行うことができるテーブルを提供する。【解決手段】テーブル１は、天板２と、脚部５と、ロック部材６と、を備える。ロック部材６は、第一部材６１と、第二部材６２と、規制部材６３と、を備える。第一部材６１は、一端部が天板２側に回転可能に接続されている。第二部材６２は、一端部が脚部５側に回転可能に接続され、他端部が第一部材６１に回転可能に接続されている。規制部材６３は、第一部材６１に設けられたガイド部６１３のロック位置と解除位置との間を自重によって移動可能である。脚部５が起立位置にあり天板２の上面が上を向くとき、規制部材６３はロック位置にあり脚部５は折り畳み不能になっている。脚部５が起立位置にあり天板２の上面が下を向くとき、規制部材６３は解除位置にあり脚部５は折り畳み可能になっている。【選択図】図１
2020092727.tif 000002
【特許請求の範囲】
【請求項１】
天板と、
前記天板を支持し、起立位置と折り畳み位置との間で移動可能な脚部と、
前記脚部の、前記起立位置から前記折り畳み位置への移動を規制するロック部材と、
を備え、
前記ロック部材は、
一端部が前記天板側に回転可能に接続された第一部材と、
一端部が前記脚部側に回転可能に接続され、他端部が前記第一部材に回転可能に接続された第二部材と、
前記第一部材と前記第二部材との間の相対回転を解除可能に規制する規制部材であって、前記第一部材と前記第二部材との相対回転を規制するロック位置と、前記ロック位置よりも前記天板に近接し、且つ、前記第一部材と前記第二部材との相対回転を可能にする解除位置との間を自重によって移動可能な規制部材と、
を備え、
前記脚部が前記起立位置にあり、前記天板の上面が上を向くとき、前記規制部材は前記ロック位置にあり、前記規制部材が前記第一部材と前記第二部材とに接触することで、前記第二部材の、前記第一部材に向けた回転が規制されて前記脚部は折り畳み不能になっており、
前記脚部が前記起立位置にあり、前記天板の上面が下を向くとき、前記規制部材は前記解除位置にあり、前記第二部材は前記第一部材に向けて回転可能であり前記脚部は折り畳み可能になっている、
ことを特徴とするテーブル。
【請求項２】
前記第一部材の一端部は第一軸部材によって前記天板側に接続されており、
前記第二部材の一端部は第二軸部材によって前記脚部側に接続されており、
前記脚部が前記起立位置にあるとき、前記第一部材と前記第二部材との接続部における回転中心は、前記第一軸部材の中心と前記第二軸部材の中心とを結んだ直線よりも前記天板から遠い側に位置している、
請求項１に記載のテーブル。
【請求項３】
前記第一部材又は前記第二部材の一方には、前記規制部材が挿入され且つ前記規制部材の移動を案内するガイド部が設けられており、
前記ガイド部は、前記ロック位置を構成する第一端部と、前記解除位置を構成する第二端部と、を有し、
前記脚部が起立位置にあるとき、前記ガイド部の前記第一端部は前記第二端部よりも前記脚部に近接しており、前記ガイド部は前記脚部側に凸となるよう湾曲している、
請求項１又は２に記載のテーブル。
【発明の詳細な説明】
【技術分野】
【０００１】
本発明は、折り畳み可能な脚部を備えたテーブルに関する。
【背景技術】
【０００２】
脚部と、脚部によって支持された天板とを備え、使用時には、脚部が天板と直角になった起立位置にあり、収納時には、脚部を天板に向けて回転させ、折り畳むことができるテーブルが知られている。また、このようなテーブルにおいて、脚部が起立位置にあるとき、脚部を折り畳み不能にロックするためのロック機構を備えたテーブルも知られている（特許文献１）。
【先行技術文献】
【特許文献】
【０００３】
【特許文献１】特許第４４９８４５９号公報
【発明の概要】
【発明が解決しようとする課題】
【０００４】
ところで、脚部のロック機構は、テーブルの使用時には、脚部をロックして確実に折り畳み不能にすると共に、テーブルの収納時には、簡単にロック解除できることが好ましい。
【０００５】
本発明は、テーブルの使用時に脚部の折り畳みを確実に阻止できると共に、簡単に脚部のロック及びロック解除を行うことができるテーブルを提供することを目的とする。
【課題を解決するための手段】
【０００６】
本発明のテーブルは、
天板と、
前記天板を支持し、起立位置と折り畳み位置との間で移動可能な脚部と、
前記脚部の、前記起立位置から前記折り畳み位置への移動を規制するロック部材と、
を備え、
前記ロック部材は、
一端部が前記天板側に回転可能に接続された第一部材と、
一端部が前記脚部側に回転可能に接続され、他端部が前記第一部材に回転可能に接続された第二部材と、
前記第一部材と前記第二部材との間の相対回転を解除可能に規制する規制部材であって、前記第一部材と前記第二部材との相対回転を規制するロック位置と、前記ロック位置よりも前記天板に近接し、且つ、前記第一部材と前記第二部材との相対回転を可能にする解除位置との間を自重によって移動可能な規制部材と、
を備え、
前記脚部が前記起立位置にあり、前記天板の上面が上を向くとき、前記規制部材は前記ロック位置にあり、前記規制部材が前記第一部材と前記第二部材とに接触することで、前記第二部材の、前記第一部材に向けた回転が規制されて前記脚部は折り畳み不能になっており、
前記脚部が前記起立位置にあり、前記天板の上面が下を向くとき、前記規制部材は前記解除位置にあり、前記第二部材は前記第一部材に向けて回転可能であり前記脚部は折り畳み可能になっている、
ことを特徴とする。
【０００７】
本発明では、テーブルの使用時に、規制部材が第一部材と第二部材とに接触することで第一部材と第二部材との相対回転を規制し、脚部の折り畳みを確実に阻止する。また、規制部材は、自重によりロック位置と解除位置との間を移動可能であるため、簡単に脚部のロックとロック解除とを行うことができる。
【０００８】
なお、上記実施形態は、第一部材が天板に直接接続されている形態に限らず、第一部材が他の部材を介して天板に間接的に接続されている形態も含む。また、上記実施形態は、第二部材が脚部に直接接続されている形態に限らず、第二部材が他の部材を介して脚部に間接的に接続されている形態も含む。
【０００９】
本発明のテーブルにおいて、
前記第一部材の一端部は第一軸部材によって前記天板側に接続されており、
前記第二部材の一端部は第二軸部材によって前記脚部側に接続されており、
前記脚部が前記起立位置にあるとき、前記第一部材と前記第二部材との接続部における回転中心は、前記第一軸部材の中心と前記第二軸部材の中心とを結んだ直線よりも前記天板から遠い側に位置している、
ことが好ましい。
【００１０】
上記特徴により、脚部が折り畳まれる際には、第一部材と第二部材との接続部における回転中心は、第一軸部材の中心と第二軸部材の中心との間が最大距離になる位置を通過しなければならない。したがって、脚部が起立位置にあるとき、脚部は折り畳み位置に移動し難くなるため、テーブルの使用時に脚部が不意に折り畳まれることを防止できる。
【００１１】
本発明のテーブルにおいて、
前記第一部材又は前記第二部材の一方には、前記規制部材が挿入され且つ前記規制部材の移動を案内するガイド部が設けられており、
前記ガイド部は、前記ロック位置を構成する第一端部と、前記解除位置を構成する第二端部と、を有し、
前記脚部が前記起立位置にあるとき、前記ガイド部の前記第一端部は前記第二端部よりも前記脚部に近接しており、前記ガイド部は前記脚部側に凸となるよう湾曲している、
ことが好ましい。
【００１２】
上記特徴により、テーブルを壁に立て掛けた場合など、天板が垂直姿勢になった状態でも、規制部材は解除位置に移動し、脚部の折り畳みが可能になる。これにより、規制部材がロック位置に留まったままの状態で脚部の開閉作業が行われ、脚部やロック部材が破損してしまうことを防止できる。
【発明の効果】
【００１３】
本発明のテーブルでは、使用時に脚部の折り畳みを確実に阻止できると共に、簡単に脚部のロック及びロック解除を行うことができる。
【図面の簡単な説明】
【００１４】
【図１】（ａ）テーブルの使用状態を示す斜視図、（ｂ）（ａ）のＩｂ部分拡大正面図である。
【図２】（ａ）テーブルの収納状態を示す斜視図、（ｂ）（ａ）のＩＩｂ部分拡大正面図である。
【図３】テーブルを垂直に立てた場合の部分拡大正面図である。
【図４】ロック部材の変形例を表す図であり、（ａ）規制部材がロック位置にあるときの部分拡大正面図であり、（ｂ）規制部材が解除位置にあるときの部分拡大正面図である。
【発明を実施するための形態】
【００１５】
本発明のテーブルについて図面を参照しながら説明する。以下で説明する実施形態は、本発明の好ましい一具体例を示すものである。本発明は、以下の実施形態に限定されず、その主旨を逸脱しない範囲で適宜変更可能である。
【００１６】
＜１  テーブルの構成＞
図１（ａ）はテーブル１の使用状態を示す斜視図であり、図１（ｂ）は図１（ａ）のＩｂ部分拡大正面図である。図２（ａ）はテーブル１の収納状態を示す斜視図であり、図２（ｂ）は図２（ａ）のＩＩｂ部分拡大正面図である。以下では、図１（ａ）の上下をテーブル１の上下として説明する。
【００１７】
図１（ａ）及び（ｂ）に示すように、テーブル１は、天板２と、フレーム３と、ブラケット４と、脚部５と、ロック部材６と、第一連結部材７と、第二連結部材８とを備える。天板２は平面視で長方形である。脚部５はブラケット４を介して天板２の裏面側に取り付けられている。図１（ａ）に示すように、テーブル１の使用時には、脚部５は、その軸方向が天板２の上面の面方向と直角となる起立位置にあり、天板２を支持している。図２（ａ）に示すように、テーブル１の収納時には、脚部５を起立位置から、起立位置よりも天板２に近接した折り畳み位置（図２（ａ）では、脚部５の軸方向と天板２の上面の面方向とが平行）に移動させて折り畳むことができる。ロック部材６は、テーブル１の使用時に、脚部５が起立位置から折り畳み位置に移動することを解除可能に規制している。以下では、各構成要素の詳細を説明する。
【００１８】
フレーム３は、天板２の裏面側に二つ設けられている。二つのフレーム３は、天板２の長手方向に延びる長尺な部材から成る。二つのフレーム３は、天板２の裏面の短手方向端部近傍にそれぞれ固定されている。フレーム３の長手方向端部は天板２の長手方向端部近傍まで延びている。
【００１９】
ブラケット４は、天板２の裏面の四つの角部近傍にそれぞれ一つずつ設けられている。ブラケット４はその一端部がフレーム３に固定されており、天板２から下方に延びている。ブラケット４はＵ字型であり、ブラケット４内にはフレーム３の長手方向端部が固定されている。
【００２０】
脚部５は、天板２の裏面の四つの角部近傍にそれぞれ一つずつ設けられている。脚部５の一端部はフレーム３よりも下方の位置においてブラケット４内に収容されると共に、軸部材Ｐ１によってブラケット４に回転可能に接続されている。軸部材Ｐ１は例えばリベットである。脚部５が起立位置にあるとき、フレーム３の長手方向と脚部５の軸方向とは直交する。天板２の短手方向に間隔をあけて配置された２つの脚部５は、第一連結部材７によって連結されている。第一連結部材７は例えばパイプである。
【００２１】
ロック部材６は、四つの脚部５に対してそれぞれ一つずつ設けられている。ロック部材６は一端部がフレーム３に接続され、他端部が脚部５に接続されている。脚部５が起立位置にあるとき、ロック部材６は、フレーム３の長手方向及び脚部５の軸方向に対して斜めになっている。天板２の短手方向に間隔をあけて配置された２つのロック部材６は、第二連結部材８によって連結されている。第二連結部材８は例えばパイプである。
【００２２】
図１（ｂ）に示すように、ロック部材６は、第一部材６１と、第二部材６２と、規制部材６３と、を備える。第一部材６１の一端部はフレーム３に軸部材Ｐ２によって回転可能に接続されている。つまり、第一部材６１の一端部はフレーム３を介して天板２に間接的に接続されている。第二部材６２の一端部は脚部５に軸部材Ｐ３によって回転可能に接続されている。第一部材６１の他端部と第二部材６２の他端部とは軸部材Ｐ４によって回転可能に接続されている。軸部材Ｐ２、Ｐ３、Ｐ４は例えばリベットである。脚部５が起立位置にあるとき、軸部材Ｐ４の中心は、軸部材Ｐ２の中心と軸部材Ｐ３の中心とを結ぶ直線Ｌよりも下方（すなわち、天板２から遠い側）に位置している。
【００２３】
図１（ｂ）及び図２（ａ）に示すように、第一部材６１は、ウェブ６１１と、二つのフランジ部６１２と、から構成されている。二つのフランジ部６１２は、ウェブ６１１の両端から、天板２から離れる方向にそれぞれ延出している。図１（ｂ）に示すように、二つのフランジ部６１２には、フランジ部６１２を貫通する長穴状のガイド部６１３が形成されている。ガイド部６１３は脚部５に向けて凸となるよう湾曲している。ガイド部６１３はその長手方向端部である第一端部６１３ａ及び第二端部６１３ｂを有する。第一端部６１３ａは、第二端部６１３ｂよりも脚部５に近接している。第二端部６１３ｂは第一端部６１３ａよりも上方（すなわち、天板２寄り）で、且つ、軸部材Ｐ４の回転中心半径において第一端部６１３ａよりも遠くに位置している。
【００２４】
第二部材６２は板状部材から成り、その他端部側が二つのフランジ部６１２の間に挿入されている。軸部材Ｐ４は二つのフランジ部６１２を貫通し、第一部材６１と第二部材６２とを接続している。ウェブ６１１には、第二部材６２が回転した際に第二部材６２の上部とウェブ６１１とが接触して第二部材６２の回転が妨げられないよう、第二部材６２の上部に対応する位置に開口部（不図示）が設けられている。
【００２５】
規制部材６３は、第一部材６１と第二部材６２との相対回転を規制し、脚部５の折り畳みを防止するための部材である。規制部材６３は、ガイド部６１３内に挿入されている。規制部材６３は例えばリベットである。規制部材６３は第一端部６１３ａと第二端部６１３ｂとの間をガイド部６１３の長手方向に案内されながらガイド部６１３に沿って自重により移動する。
【００２６】
図１（ｂ）に示すように、規制部材６３が第一端部６１３ａに位置しているとき、第二部材６２の他端部側の先端は、規制部材６３に接触している。これにより、第二部材６２を第一部材６１に向けて回転させることができず、脚部５は起立位置でロックされた状態となっている。したがって、脚部５を天板２に向けて回転させることができず、脚部５は折り畳み不能になっている。以下では、脚部５がロックされているときの規制部材６３の位置をロック位置と表記することがある。本実施形態では、規制部材６３が第一端部６１３ａに位置しているとき、規制部材６３はロック位置に位置している。
【００２７】
規制部材６３が第二端部６１３ｂに位置しているとき、第二部材６２の他端部側の先端は規制部材６３に接触しなくなる。これにより、第二部材６２を第一部材６１に向けて回転させることができ、脚部５はロック解除された状態となっている。したがって、脚部５を天板２に向けて回転させて折り畳むことができる。以下では、脚部５がロック解除されているときの規制部材６３の位置を解除位置と表記することがある。本実施形態では、規制部材６３が第二端部６１３ｂに位置しているとき、規制部材６３は解除位置に位置している。
【００２８】
＜２  脚部の折り畳み＞
次に、脚部５を、起立位置（図１（ａ））から折り畳み位置（図２（ａ））へと折り畳む操作について説明する。図１（ａ）及び（ｂ）に示すように、脚部５が起立位置にあり、天板２の上面が上を向いているとき、規制部材６３は自重により第一端部６１３ａに位置している。図１（ａ）及び（ｂ）の状態から、テーブル１を上下逆さまにひっくり返し、天板２の上面が下を向くようにする。これにより、規制部材６３は、第一端部（ロック位置）６１３ａから第二端部（解除位置）６１３ｂへと自重により移動する。規制部材６３が解除位置に移動すると、第二部材６２、すなわち、脚部５は天板２に向けて回転可能になる。脚部５を天板２に向けて回転させることで、第二部材６２は脚部５に近づくように回転する。そして、第二部材６２の回転に伴い、第一部材６１が天板２に近づくように回転する。このようにして、図２（ａ）及び（ｂ）に示すように脚部５を折り畳むことができる。
【００２９】
脚部５を折り畳み位置から起立位置に戻すには、図２（ａ）及び（ｂ）の状態から脚部５を起立位置に移動させて天板２の上面が上を向くようテーブル１をひっくり返すか、又は、天板２の上面が上を向くようテーブル１をひっくり返してから、脚部５を起立位置に移動させればよい。
【００３０】
＜３  特徴＞
テーブル１では、規制部材６３がロック位置にあるとき、脚部５はロック部材６によってロックされ折り畳み不能になっている。したがって、テーブル１の使用中に脚部５が不意に折り畳まれてしまうことを防止できる。一方、脚部５を折り畳んでテーブル１の収納したい場合には、テーブル１を上下逆さまにすることで規制部材６３が解除位置に移動して、脚部５を折り畳むことができるようになる。規制部材６３は自重によってロック位置と解除位置との間を自動的に移動するため、脚部５のロックとロック解除とを簡単に切り替えることができる。
【００３１】
脚部５が起立位置にあるとき、ロック部材６はフレーム３と脚部５との筋交いとして機能し、天板２及び脚部５を補強できる。
【００３２】
脚部５が起立位置にあるとき、軸部材Ｐ４の中心が直線Ｌよりも下方に位置していることにより、脚部５が折り畳まれる際には、軸部材Ｐ４の中心は、軸部材Ｐ２の中心と軸部材Ｐ３の中心とが最大距離になる位置を通過しなければならない。これにより、脚部５が起立位置にあるとき脚部５は折り畳まれ難くなるため、テーブル１の使用時に脚部５が不意に折り畳まれてしまうことを防止できる。
【００３３】
図３に示すように、天板２が垂直（すなわち、天板２の上面の面方向が上下方向と平行になり、脚部５の軸方向が水平方向と平行）になるようテーブル１を壁に立て掛けた場合であっても、ガイド部６１３が上記のような形状であることにより、規制部材６３は解除位置に移動し、脚部５を折り畳むことができる。そのため、規制部材６３がロック位置に留まったままの状態で脚部５の開閉作業が行われ、脚部５やロック部材６が破損してしまうことを防止できる。
【００３４】
＜４  変形例＞
以下では、テーブル１の変形例について説明する。上記実施形態で既に説明した構成要素は上記実施形態と同一の符号を付しその説明を省略すると共に、上記実施形態との相違点を中心に説明する。
【００３５】
（１）ロック部材６の第一部材６１と第二部材６２とは反対に取り付けられていてもよい。すなわち、第一部材６１が脚部５側に取り付けられ、第二部材６２が天板２側に取り付けられてもよい。
【００３６】
（２）図４（ａ）及び（ｂ）に示すように、規制部材６３は、第一部材６１の長手方向に沿ってロック位置と解除位置との間を移動する部材から構成されていてもよい。図４に示す実施形態では、規制部材６３は筒状部材から構成され、第一部材６１及び第二部材６２は筒状の規制部材６３内に挿入されている。本実施形態では、第一部材６１は第二部材６２と同じく一枚の板状部材から構成されていてもよい。また、ガイド部６１３は設けられていなくてもよい。
【００３７】
第一部材６１又は第二部材６２は、停止部６４を備える。停止部６４はロック位置で規制部材６３を停止させる。本実施形態において、停止部６４は第二部材６２に設けられた突起部である。図４（ａ）に示すように、停止部６４は、脚部５が起立位置にあり天板２の上面が上を向くとき、規制部材６３が第一部材６１と第二部材６２の両方を覆う位置（すなわち、第一部材６１と第二部材６２とが重なる部分を覆う位置）で、規制部材６３を停止させる。停止部６４は、軸部材Ｐ４を覆う位置で規制部材６３を停止させることが好ましい。規制部材６３の内径は、第一部材６１と第二部材６２とが相対回転しようとした際、第一部材６１及び第二部材６２が規制部材６３の内面に接触してそれ以上回転できないような大きさに設定されている。つまり、本実施形態では、規制部材６３が第一部材６１と第二部材６２との重なる部分を覆う位置にあるとき、規制部材６３はロック位置に位置していることになる。
【００３８】
図４（ｂ）に示すように、テーブル１を図４（ａ）の状態から上下逆さまにひっくり返し、脚部５が起立位置にあり天板２の上面が下を向くようにしたとき、規制部材６３はロック位置から第一部材６１のみを覆う位置に自重により移動する。規制部材６３はフレーム３に接触して停止する。規制部材６３が第一部材６１のみを覆う位置にあるとき、第一部材６１と第二部材６２とは相対回転可能である。つまり、本実施形態では、規制部材６３が第一部材６１のみを覆う位置にあるとき、規制部材６３は解除位置に位置していることになる。
【符号の説明】
【００３９】
１          テーブル
２          天板
５          脚部
６          ロック部材
６１        第一部材
６１３      ガイド部
６１３ａ    第一端部（ロック位置）
６１３ｂ    第二端部（解除位置）
６２        第二部材
６３        規制部材
Ｐ１〜Ｐ４  軸部材
Ｌ          直線
【図１】
2020092727.tif 000003
【図２】
2020092727.tif 000004
【図３】
2020092727.tif 000005
【図４】
2020092727.tif 000006
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
天板と、
前記天板を支持し、起立位置と折り畳み位置との間で移動可能な脚部と、
前記脚部の、前記起立位置から前記折り畳み位置への移動を規制するロック部材と、
を備え、
前記ロック部材は、
一端部が前記天板側に回転可能に接続された第一部材と、
一端部が前記脚部側に回転可能に接続され、他端部が前記第一部材に回転可能に接続された第二部材と、
第一端部と、前記第一端部よりも前記天板に近接した第二端部とを有し、前記第一部材又は前記第二部材の一方に形成された長穴状のガイド部と、
前記ガイド部内を移動し、前記第一部材と前記第二部材との間の相対回転を解除可能に規制する規制部材であって、前記第一部材と前記第二部材との相対回転を規制するロック位置である前記第一端部と、前記第一部材と前記第二部材との相対回転を可能にする解除位置である前記第二端部との間を自重によって移動可能な規制部材と、
を備え、
前記脚部が前記起立位置にあり、前記天板の上面が上を向くとき、前記規制部材は前記ロック位置にあり、前記規制部材が前記第一部材と前記第二部材とに接触することで、前記第二部材の、前記第一部材に向けた回転が規制されて前記脚部は折り畳み不能になっており、
前記脚部が前記起立位置にあり、前記天板の上面が下を向くとき、前記規制部材は前記解除位置にあり、前記第二部材は前記第一部材に向けて回転可能であり前記脚部は折り畳み可能になっている、
ことを特徴とするテーブル。
【請求項２】
前記第一部材の一端部は第一軸部材によって前記天板側に接続されており、
前記第二部材の一端部は第二軸部材によって前記脚部側に接続されており、
前記脚部が前記起立位置にあるとき、前記第一部材と前記第二部材との接続部における回転中心は、前記第一軸部材の中心と前記第二軸部材の中心とを結んだ直線よりも前記天板から遠い側に位置している、
請求項１に記載のテーブル。
【請求項３】
前記脚部が起立位置にあるとき、前記ガイド部の前記第一端部は前記第二端部よりも前記脚部に近接しており、前記ガイド部は前記脚部側に凸となるよう湾曲している、
請求項１又は２に記載のテーブル。